(57)【要約】オンライン代価交換取引を容易にするための方法およびシステムが開示されている。１つの方法は、サービス・プロバイダによる表示のためのリンクを引渡すステップを含み、当該リンクは、交換ファシリテータとアフィリエイト設定され、かつサービス・プロバイダとアフィリエイト設定されない。この方法はさらに、リンクの選択時に、サービス・プロバイダのユーザを交換ファシリテータへ向け直すステップを含む。この方法はさらに、ユーザと交換ファシリテータの加入者の間における代価交換に関する情報を受信するステップを含む。またこの方法は、ユーザに代価交換の１つまたは複数の条件の承諾を要求するステップも含む。この方法は、ユーザによって承諾された代価交換の１つまたは複数の条件に従って電子転送を実行するステップを含む。支払を獲得するための方法およびシステムも同様に開示されている。
2011511372.tif 000002
【特許請求の範囲】
【請求項１】
オンライン代価交換取引を容易にする方法であって、
サービス・プロバイダによる表示のためのリンクを引渡すステップであって、前記リンクが、交換ファシリテータとアフィリエイト設定され、かつ前記サービス・プロバイダとアフィリエイト設定されないとするステップと、
前記リンクの選択時に、前記サービス・プロバイダのユーザを前記交換ファシリテータへ向け直すステップと、
前記ユーザと前記交換ファシリテータの加入者の間における代価交換に関する情報を受信するステップと、
前記ユーザに前記代価交換の１つまたは複数の条件の承諾を要求するステップと、
前記ユーザによって承諾された前記代価交換の前記１つまたは複数の条件に従って電子転送を実行するステップと、
を包含する方法。
【請求項２】
前記加入者はオンライン小売業者である、請求項１に記載の方法。
【請求項３】
前記代価交換の前記１つまたは複数の条件は価格条件を含む、請求項１に記載の方法。
【請求項４】
さらに、前記代価交換の前記１つまたは複数の条件に関係する交渉機能を提供するステップを包含する、請求項１に記載の方法。
【請求項５】
さらに、前記ユーザが前記交換ファシリテータの加入者か否かを決定するステップを包含する、請求項１に記載の方法。
【請求項６】
さらに、前記ユーザが前記交換ファシリテータの加入者でないとの決定時に前記ユーザに関する追加の情報を獲得するステップを包含する、請求項５に記載の方法。
【請求項７】
追加の情報を獲得するステップは、銀行口座情報の獲得を含む、請求項６に記載の方法。
【請求項８】
追加の情報を獲得するステップは、前記交換ファシリテータへ前記ユーザを加入させることを包含する請求項６に記載の方法。
【請求項９】
電子転送を実行するステップは、前記ユーザから前記加入者への財務の転送を包含する請求項１に記載の方法。
【請求項１０】
前記リンクは、前記ユーザに対する表示のために前記加入者によって選択される、請求項１に記載の方法。
【請求項１１】
オンライン代価交換取引を容易にするためのシステムであって、
サービス・プロバイダによる表示のためのリンクを引渡すモジュールであって、前記リンクが、交換ファシリテータとアフィリエイト設定され、かつ前記サービス・プロバイダとアフィリエイト設定されないとするリンク引渡しモジュールと、
前記リンクの選択時に、前記サービス・プロバイダのユーザを前記交換ファシリテータへ向け直す宛先変更モジュールと、
前記ユーザと前記交換ファシリテータの加入者の間における代価交換に関する情報を受信する情報収集モジュールと、
前記ユーザに前記代価交換の１つまたは複数の条件の承諾を要求する要求モジュールと、
前記ユーザによって承諾された前記代価交換の前記１つまたは複数の条件に従って電子転送を実行する転送モジュールと、
を包含するシステム。
【請求項１２】
前記モジュールのうちの１つまたは複数は、財務サーバ上において実行される、請求項１１に記載のシステム。
【請求項１３】
前記サービス・プロバイダはオンライン販売管理システムである、請求項１１に記載のシステム。
【請求項１４】
前記代価交換の前記１つまたは複数の条件は価格条件を含む請求項１１に記載のシステム。
【請求項１５】
前記転送モジュールは、前記ユーザから前記加入者へ財務を転送する請求項１１に記載のシステム。
【請求項１６】
前記加入者はオンライン小売業者である、請求項１１に記載のシステム。
【請求項１７】
オンライン代価交換取引において支払を獲得する方法であって、
財務転送のための交換ファシリテータによって提供されるサービスへ加入するステップと、
サービス・プロバイダによってホストされる提案取引に対してリンクを割当てるステップであって、前記リンクが、前記交換ファシリテータとアフィリエイト設定され、かつ前記サービス・プロバイダとアフィリエイト設定されないとするステップと、
前記交換ファシリテータを介して代価交換の１つまたは複数の条件を前記サービス・プロバイダのユーザと交渉するステップと、
前記交換ファシリテータを介して前記ユーザから財務の転送を受信するステップであって、前記代価交換の前記１つまたは複数の条件に対応する財務の転送を受信するステップと、
を包含する方法。
【請求項１８】
前記サービス・プロバイダはオンライン・オークション・ウェブ・サイトである請求項１７に記載の方法。
【請求項１９】
リンクを割当てるステップは、オンライン・オークションの中にハイパーリンクを組み込むことを包含する、請求項１７に記載の方法。
【請求項２０】
代価交換の１つまたは複数の条件を交渉するステップは、オンライン・オークションにおいてもっとも高い落札価格を承諾することを包含する、請求項１７に記載の方法。
【請求項２１】
サービスへ加入するステップは、ユーザ情報の提供および前記交換ファシリテータを伴う口座の開設を包含する請求項１７に記載の方法。
【発明の詳細な説明】
【技術分野】
【０００１】
この出願は、米国国内法人のレボリューション・マネー・インク（Ｒｅｖｏｌｕｔｉｏｎ  Ｍｏｎｅｙ  Ｉｎｃ．）の名において、米国を除くすべての指定国の出願人を当該レボリューション・マネー・インクとし、指定国の米国のみは出願人を米国国民であるパトリック・グラフ（Ｐａｔｒｉｃｋ  Ｇｒａｆ）として２００９年１月２８にＰＣＴ国際特許出願として出願され、かつ２００８年１月２９日に出願された米国特許出願番号第１２／０２１，８２６号の優先権を主張する。
【０００２】
この開示は、オンライン支払メカニズムに関し、特にこの開示は、オンライン取引のための支払先変更システムに関する。
【背景技術】
【０００３】
ほとんどのオンライン小売業者は、支払処理および支払システムの管理についてクレジット・カード会社に依存している。これらの小売業者は、オンラインで購入した物品およびサービスの支払いのために顧客がクレジット・カードを所持することを要求する。しかしながら、場合によってはオンライン商人または売り手に、クレジット・カード支払の承諾が実行可能でないことがある。たとえば、少量または低マージンの小売業者または売り手は、しばしば、回避可能であればクレジット・カード処理手数料の支払を欲しない。さらにまた特定の事例においては、オークション・サイトまたは再販業者等のサードパーティのウェブ・サイト上に物品を出品している小売業者が定期的に物品を販売せず、したがってクレジット・カード取引を可能にするに必要なビジネス構成または経済の規模を有していない。さらにまた特定タイプのクレジット・カードを必要とするウェブ・サイトは、特定の小売業者によって承諾されたタイプのクレジット・カードを特定の購入者が有していないことがあり得るため、多数の潜在的購入者を制限しかねない。
【０００４】
より最近では、特定の会社がオンライン小売業者と対となって単純な金銭の転送タスクを行い、それによってクレジット・カードまたはほかの類似の掛売ベースのシステムの使用を回避する動きが出始めている。これらの会社のシステムにおいては、支払メカニズムが、売り手のウェブ・サイトと統合されてそこから多様なデータを受け取り、買い手と売り手の間の財務転送の振り向けを可能にする。しかしながらこれらの会社のシステムは、同時に欠点も有する。たとえば、これらのシステムのうちのいくつかのは、買い手および売り手の双方が当該支払メカニズムの登録済みユーザであることを要求する。そのほかのシステムにおいては、メカニズムが、売り手のホストの許可を買い手および売り手の利便性とホストの利益が両立できない場合であっても要求する。
【発明の概要】
【発明が解決しようとする課題】
【０００５】
これらの、およびこのほかの理由のために、改良が望まれている。
【課題を解決するための手段】
【０００６】
この開示によれば、上記の問題およびそのほかの問題が以下によって解決される。
【０００７】
第１の態様においては、オンライン代価交換取引を容易にするための方法が開示される。この方法は、サービス・プロバイダによる表示のためのリンクを引渡すステップを含み、当該リンクは、交換ファシリテータとアフィリエイト設定され、かつサービス・プロバイダとアフィリエイト設定されない。この方法はさらに、リンクの選択時に、サービス・プロバイダのユーザを交換ファシリテータへ向け直すステップを含む。この方法はさらに、ユーザと交換ファシリテータの加入者の間における代価交換に関する情報を受信するステップを含む。またこの方法は、ユーザに代価交換の１つまたは複数の条件の承諾を要求するステップも含む。この方法は、ユーザによって承諾された代価交換の１つまたは複数の条件に従って電子転送を実行するステップを含む。
【０００８】
第２の態様においてはオンライン代価交換取引を容易にするためのシステムが開示される。このシステムは、サービス・プロバイダによる表示のためのリンクを引渡すリンク引渡しモジュールを含み、当該リンクは、交換ファシリテータとアフィリエイト設定され、かつサービス・プロバイダとアフィリエイト設定されない。またシステムは、リンクの選択時にサービス・プロバイダのユーザを交換ファシリテータへ向け直す宛先変更モジュールも含む。システムは、ユーザと交換ファシリテータの加入者の間における代価交換に関する情報を受信する情報収集モジュールを含む。またシステムは、ユーザに代価交換の１つまたは複数の条件の承諾を要求する要求モジュールも含む。さらにこのシステムは、ユーザによって承諾された代価交換の１つまたは複数の条件に従って電子転送を実行する転送モジュールを含む。
【０００９】
第３の態様においては、オンライン代価交換取引において支払を獲得する方法が開示される。この方法は、財務転送のための交換ファシリテータによって提供されるサービスへ加入するステップを含む。さらにこの方法は、サービス・プロバイダによってホストされる提案取引に対してリンクを割当てるステップを含み、当該リンクは、交換ファシリテータとアフィリエイト設定され、かつサービス・プロバイダとアフィリエイト設定されない。またこの方法は、交換ファシリテータを介して代価交換の１つまたは複数の条件をサービス・プロバイダのユーザと交渉するステップも含む。この方法はまた、交換ファシリテータを介してユーザから財務の転送を受信するステップも含み、当該財務の転送は、代価交換の１つまたは複数の条件に対応する。
【図面の簡単な説明】
【００１０】
【図１】この開示の態様を実装することが可能なネットワークの例を図解した説明図である。
【図２】この開示の可能な実施態様に従ってオンライン代価交換取引を容易にするための方法およびシステムのフローチャートである。
【図３】この開示の可能な実施態様に従ってオンライン代価交換取引において支払を獲得するための方法およびシステムのフローチャートである。
【図４】この開示の可能な実施態様に従ってオンライン代価交換取引を実行するための方法およびシステムのフローチャートである。
【図５】この開示の態様の実装に使用できるコンピューティング・システムの実施態様の一例を表した概略図である。
【図６】この開示の特定の実施態様に従ってオンライン代価交換取引を容易にするためのシステムの略図的なブロック図である。
【図７】この開示の可能な実施態様に従った交換ファシリテータへのリンクを含むオンライン代価交換取引のためのユーザ・インターフェースを表した説明図である。
【図８】この開示の可能な実施態様に従って交換ファシリテータによる使用のためのユーザ情報を入力するためのユーザ・インターフェースを表した説明図である。
【図９】ユーザを交換ファシリテータのウェブ・ページへ接続するリンクを含む、ユーザに対して送信されるメッセージを実例で示した一例のユーザ・インターフェースの説明図である。
【図１０】この開示の可能な実施態様に従って交換ファシリテータによって管理されるユーザ・インターフェースおよびユーザの未決および交渉済み取引を図解した説明図である。
【図１１】この開示の可能な実施態様に従い、ユーザが代価交換取引の１つまたは複数の条件に従って取引の処理を確認することを可能にするユーザ・インターフェースを図解した説明図である。
【図１２】この開示の可能な実施態様に従って取引の処理を確認するユーザ・インターフェースを図解した説明図である。
【発明を実施するための形態】
【００１１】
以下、図面を参照してこの開示の多様な実施態様を説明するが、いくつかの図面を通じて類似の参照番号が類似の部品およびアッセンブリを表す。多様な実施態様を参照することは、ここに取り付けられた特許請求の範囲によってのみ限定される本発明の範囲を限定することではない。それに加えてこの明細書内に示されたいずれの例も、請求の範囲に記載された発明についての多くの可能な実施態様のいくつかを示しているに過ぎず、限定を意図したものではない。
【００１２】
多様な実施態様の論理的動作は、（１）汎用コンピュータ内のプログラマブル回路上で走るコンピュータ実装されるステップ、動作、または手順のシーケンス、（２）専用プログラマブル回路上で走るコンピュータ実装されるステップ、動作、または手順のシーケンス、および／または（３）プログラマブル回路内の相互接続されるマシン・モジュールまたはプログラム・エンジンとして実装される。
【００１３】
概して言えば、この開示は、購入者、売り手、および物品またはサービスの購入または販売を適応させる者の多様な展望からオンライン代価交換取引を容易にするための方法およびシステムに関する。この開示の方法およびシステムは、概して、サービス・プロバイダによる表示のためのリンクを提供し、当該リンクは、交換ファシリテータとアフィリエイト設定され、かつそのサービス・プロバイダとアフィリエイト設定されない。リンクは、サービス・プロバイダのユーザを支払転送サービス等の交換ファシリテータに向け直す。このほかの多様な特徴は、ここに述べられている方法およびシステムに含まれる。
【００１４】
ここで図１を参照すると、この開示の態様を実装することが可能な一例のネットワーク１００が示されている。ネットワーク１００は、デバイス１０２、１０４、１０６として示された多くの電子デバイスを含む。たとえば、電子デバイス１０２、１０４、１０６は、通信能力を伴う多くのタイプのパーソナル・コンピュータ、スマートフォン、ポータブル・コンピューティング・デバイスまたはハンドヘルド・デバイスのいずれとすることもできる。これも注意されたいが、電子デバイス（ここでは、一般的に通信デバイスと記述することもある）は、限定ではないが、携帯情報端末（ＰＤＡ）、コンピューティング・システム、ポケット・パーソナル・コンピュータ（ポケットＰＣ）、ＭＰ３プレーヤ、セット・トップ・ボックス、およびほかのその種のシステムを含む。
【００１５】
電子デバイス１０２、１０４は、インターネット等のデータ・ネットワーク１０８に接続できる多くのタイプのデバイスのうちのいずれとすることもできる。データ・ネットワーク１０８は、デジタル・データの送信および受信ができるインターネット等のパケット‐ベースのデータ・ネットワークまたは何らかのそれらの部分である。データ・ネットワーク１０８は、多数のプロトコルまたはファイル・フォーマットのいずれでも動作可能である。
【００１６】
財務サーバ１１０およびサードパーティのサービス・プロバイダ１１２もまたデータ・ネットワーク１０８に接続されており、ユーザの電子デバイス１０２、１０４、１０６にアクセス可能な多様なサービスを提供する。たとえば財務サーバ１１０は、ネットワーク１００のユーザに対して、物品またはサービスと引き替えの支払等のための金銭またはほかの代価交換サービスを提供する。財務サーバ１１０は、多様な実施態様において、金銭転送の経路設定にサードパーティの使用を必要とせずに金銭転送および支払の交渉が生じることが可能な直接ユーザ対ユーザ支払システムを提供できる。
【００１７】
サードパーティのサービス・プロバイダ１１２は、任意数のユーザが多様な物品またはサービスの販売のために出品可能な場所を提供する。サードパーティのサービス・プロバイダ１１２は、オンライン小売業者とすること、またはオンライン・オークション・サイトまたは販売掲示板等の販売のために物品またはサービスを個別のユーザが出品できるオンライン・コミュニティとすることができる。
【００１８】
特定の場合には、サードパーティのサービス・プロバイダ１１２が、クレジット・カード会社またはそのほかの代価転送サービスとのプリセット済みの支払関係を有していない。その種の場合においては、サービス・プロバイダ１１２のユーザが、ユーザの物品またはサービスの広告または表示内に、関心を持った購入者を交換ファシリテータ（たとえば物品およびサービスと金銭／代価を引き替えるための財務サーバ１１０のマネージャまたはプロバイダ）によって管理されるウェブ・ページに向け直すことができるリンクを設置することが可能である。
【００１９】
図２は、この開示の可能な実施態様に従ってオンライン代価交換取引を容易にするための方法およびシステムのフローチャートである。ここに示されている方法およびシステム２００は、オンライン・オークション・サイトまたは掲示板サービス等の交換ファシリテータの動作に対応し、購入者（すなわち購入ユーザ）および売り手（すなわち販売ユーザ）が、多数のタイプのオンライン取引のうちのいずれかにおいて直接代価を転送することを可能にする。多様な実施態様においては、システム内の販売ユーザが、オンライン小売業者またはそのほかの商人に対応するか、またはそれを、掲示板システムまたはオンライン・オークション・サイトを運用するサードパーティのサービス・プロバイダを使用して品物を販売する個人ユーザとすることが可能である。
【００２０】
システム２００は、販売のための物品／サービスを表示するページを最初に設定する売り手の動作に対応する開始動作２０２においてインスタンシエートされる。動作の流れは、支払メカニズム提供モジュール２０４へ進む。支払メカニズム提供モジュール２０４は、販売のための物品／サービスとともにウェブ・ページ内に表示するための図画または文章のリンクといったリンクを提供する。交換ファシリテータは、たとえば、ウェブ・ページの部分として参照図画をホストすることによってリンクを提供すること、またはそのリンクのターゲットをホストすることができる。その種の図画の例を図７に示す。
【００２１】
動作の流れは、選択受信モジュール２０６へ進む。選択受信モジュール２０６は、購入ユーザ（すなわち見込みのある購入者）が、特定の物品またはサービスとともに提供されているリンク上をクリックしたとの決定に対応する。選択受信モジュール２０６は、交換ファシリテータによって管理されるソフトウエアが実行してもよく、またはそれ以外でもよいが、多様な実施態様においては、交換ファシリテータまたはサードパーティのサービス・プロバイダが、リンクが選択されたとの表示を受けるコードを提供する。
【００２２】
動作の流れは宛先変更モジュール２０８へ進む。宛先変更モジュール２０８は、購入ユーザを、サードパーティのサービス・プロバイダ（たとえば図１のプロバイダ１１２）によってホストされることが可能なものといった、出品された物品／サービスに関係のあるウェブ・ページから図１の財務サーバ１１０等の代価交換ファシリテータによって提供されるウェブ・ページへ向け直す。特定の実施態様においては、宛先変更モジュール２０８が、選択受信モジュール２０６において決定されるところのリンクのアクティベーション／選択の検出に応答して動作する。
【００２３】
動作の流れは、購入者情報モジュール２１０へ進むが、これは、ウェブ・ページの表示、すなわち宛先変更モジュール２０８によってユーザが宛先変更された、そのユーザの情報を要求するウェブ・ページの表示、およびその後に続く代価交換取引を容易にするべく使用されることになるその購入ユーザからの情報の収集に対応する。その種のウェブ・ページの例を図８に示す。好ましくは、その例の図からわかるとおり、購入者情報モジュール２１０は、購入ユーザの連絡先情報（電子メール・アドレス、郵便の住所等）をはじめ、代価交換が関係する物品／サービスと引き替えに転送されることになる代価を含む多様な情報を収集する。購入ユーザからのカスタム化されたメッセージもまた、購入者情報モジュール２１０によって収集される情報の中に含ませることができる。
【００２４】
動作の流れは、購入者情報モジュール２１０においては受信された情報に基づいてメッセージを購入ユーザへ送信するメッセージ・モジュール２１２へ進む。メッセージ・モジュール２１２を使用して送信されるメッセージは、ユーザ（購入者）に、代価交換取引の完了に関係する多様な情報を提供する。たとえば、購入ユーザに、概して交換ファシリテータのサービスへの登録済み加入者である販売ユーザのアイデンティティを提示することができる。また購入ユーザに、要求額（オリジナルの物品／サービスを表示するオリジナルのウェブ・サイトまたは購入情報モジュール２１０の間に購入ユーザによって提供された情報のうちのいずれかから引き出される）を提示することもできる。購入ユーザには、一般にそのユーザを、代価交換取引の交渉および完了を可能にするウェブ・ページへ導くリンクも提示される。
【００２５】
その後に続くメッセージの中でリンクを使用することによって、システム２００は、購入ユーザ（すなわちコンピューティング・システムの前にいるユーザ）が、実際に物品／サービスのための支払を行うことになる者であることを保証する保護レベルを提供する。詳しくは、システム２００が、購入者がそのユーザ（おそらくは購入者自身）に関連付けされた電子メール・アカウントをはじめ、その取引の遂行に必要なユーザの財務情報へのアクセスを有することを保証する。
【００２６】
特定の実施態様においては購入ユーザに対して、そのユーザの電子メール・アカウントへ送信される電子メールとしてメッセージを提示することが可能であり、それのためのアドレスは、購入者情報モジュール２１０の動作の間にユーザによって提供される。その種のメッセージの例を図９に示す。さらに別の実施態様においては、ユーザが表示される情報を眺め、リンクを選択して代価交換取引を進めることを可能にするポップアップ・ウインドウとしてメッセージをユーザに提示することができる。
【００２７】
この開示の代表的な実施態様においては、販売ユーザが交換ファシリテータの登録済み加入者となるが、購入ユーザは、交換ファシリテータの登録済み加入者であってもよく、そうでなくてもよい。動作の流れは、購入ユーザから収集された情報に基づいて、その購入ユーザが交換ファシリテータのサービスの登録済み加入者であるか否かを決定する交換ファシリテータに対応するクライアント決定動作２１４へ進む。購入ユーザがすでに加入ユーザである場合には、交換ファシリテータが、交換のために利用可能な財務を伴う口座を含めて、そのユーザに関する多様な利用可能な情報を有していることになる。購入ユーザがまだ加入ユーザでない場合には、一般に交換ファシリテータが、交換を実行するための何らかの代価へのアクセスを獲得する必要がある（たとえば銀行口座へのアクセスまたは銀行または掛売口座の作成）。したがって、ユーザが交換ファシリテータに登録済みでない場合には、動作の流れが『ノー』の口座情報モジュール２１６へ分岐する。ユーザが登録済みであれば、動作の流れが後述する『イエス』の交渉モジュール２１８へ分岐する。
【００２８】
口座情報モジュール２１６は、代価交換を遂行するユーザ間における財務の経路設定に必要となる購入ユーザの情報を要求し、獲得する。たとえば、口座情報モジュールは、代価交換ファシリテータを伴う財務転送のための口座の設定に関係するユーザ情報、または交換ファシリテータによるアクセスための別の既存の銀行口座へリンクするユーザ情報を要求することができる。これには、口座番号、セキュリティ情報、およびそのほかの情報を含めることができる。ユーザ名、パスワード、ＰＩＮ番号、またはそのほかの、財務の使用を求めている者が実際にそれらの財務を所有／管理する者であることの保証（アイデンティティ確認）を補助できる口座確認情報を提供するといった追加の確認ステップを口座情報モジュール２１６に組み込んでもよい。そのほかの多様なタイプの口座管理およびプレファレンス設定オプションを、代価交換ファシリテータのサービスへの加入を試みているユーザに対して提示することもできる。
【００２９】
動作の流れは、口座情報モジュール２１６（またはクライアント決定動作２１４）から交渉モジュール２１８へ進む。交渉モジュール２１８は、購入ユーザが、代価転送取引の１つまたは複数の条件を交渉することを可能にする。たとえば、交渉モジュール２１８は、そのユーザによって提供された情報から、売り手から、またはサードパーティのサービス・プロバイダから引き出され、現在提案されている条件とは異なる条件を有する修正された対案を購入ユーザが行うための機会を単に提供できる。この異なる条件は、たとえば、代価交換ファシリテータに報告されているより高い、またはより低い価格を含むことができる。その種の交渉を開始できるウェブ・ページの例を図１０に示す。
【００３０】
動作の流れは、交渉モジュール２１８から承認モジュール２２０へ進む。承認モジュールは、購入ユーザおよび販売ユーザ（登録済み加入者）のうちの一方または双方から代価交換取引の条件の承認を受け取ることに対応する。承認モジュール２２０は、通常、両者から承認を受信するが、販売ユーザが特定の価格の許容度を示す特定の実施態様においては、購入ユーザの価格およびそのほかの条件が、販売ユーザの許容度のプリセット済みの境界内に入る場合には、そのユーザからのそれ以上の承認の受信が求められることはない。
【００３１】
動作の流れは、承認モジュールから代価転送モジュール２２２へ進む。代価転送モジュール２２２は、ユーザと売り手の間において合意された１つまたは複数の条件に従って代価（たとえば財務、そのほかの有価品目）の交換を進める交換ファシリテータに対応する。その種の代価転送を要求し、確認するウェブ・ページの例を図１１〜１２に示す。動作の流れは、代価交換取引の完了に対応する終了動作２２４において終了する。
【００３２】
図３は、この開示の可能な実施態様に従ってオンライン代価交換取引において支払を獲得するための方法およびシステムのフローチャートである。ここに示されている方法およびシステム３００は、概して物品またはサービスの売り手によって実行されるが、それらの売り手は、自分たちの製品またはサービスが販売されるドメインまたはウェブ・サイトに関して完全な内容および支払メカニズムのコントロールを有していることもあれば、有していないこともある。システム３００内の動作の流れは、開始動作３０２においてインスタンシエートされ、これはオンラインで物品またはサービスの販売を開始する売り手に概して対応するが、特定のモジュール（たとえば、次の加入モジュール３０４）は、売り手による実際の販売に先行して実施／実行が可能である。
【００３３】
動作の流れは、加入モジュール３０４へ進む。加入モジュール３０４は、売り手が図１の財務サーバを管理する会社または機関等の交換ファシリテータによって実行される代価交換サービスの加入者となることに対応する。加入モジュール３０４は、概して、登録済みでない購入ユーザを交換ファシリテータのサービスへ実質的に加入させる図２の口座情報モジュール２１６と同一タイプの情報を要求する。
【００３４】
動作の流れは、リンク・モジュール３０６へ進む。リンク・モジュール３０６は、物品またはサービスの販売のための出品と関連するリンクの提供に対応する。販売ユーザは、たとえば、広告の本体内に、ユーザへの表示時にその広告と並んでボタンまたはリンクが現れるようにするコードを配置することによってリンク提供できる。１つ可能な実施態様においては、リンク・モジュールが、交換ファシリテータによってホストされる図画を有するリンクを売り手が組み込むことに対応する。
【００３５】
動作の流れは、取引モジュール３０８へ進む。取引モジュール３０８は、代価交換のための合意済み条件に到達する試みにおける多様なオプションの交渉ステップの実行を含む購入ユーザを伴った代価交換取引の実行に対応する。たとえば、取引モジュール３０８は、物品のための価格に関する対案の受信、およびその後に続く購入ユーザと販売ユーザの間の交渉過程に対応することができる。または、取引モジュール３０８は、購入ユーザおよび販売ユーザに交渉の機会を、実際にその種の交渉が生じるか否かによらず、与えることに対応できる。
【００３６】
動作の流れは、提案されている代価交換の条件の承諾を販売ユーザが示すことに対応する承認モジュール３１０へ進む。提案されている代価交換の条件は、通常、販売のための物品またはサービスのオンライン表示とともに明示され、したがって販売ユーザからの追加の入力をほとんどまたはまったく要求することはなく（販売ユーザの基本的な出品条件のすべてが購入ユーザによって満たされたことから）、したがって前述したとおり、交渉が売り手による承認に先行して生じることもあれば、先行しないこともある。
【００３７】
動作の流れは、転送モジュール３１２へ進む。転送モジュール３１２は、概して、前述の図２の代価転送モジュール２２２において生じるところの財務またはそのほかの有価品目の転送の実行等を通じた販売ユーザによる財務の受け取りに対応する。動作の流れは、代価交換取引の完了を表明する終了動作３１４において終了する。
【００３８】
図４は、この開示の可能な実施態様に従ってオンライン代価交換取引を実行にするための方法およびシステムのフローチャートである。示されている方法およびシステム４００は、概して、購入者（すなわち購入ユーザ）が、オンラインで物品またはサービスを購入し、かつこの開示によって企図される態様において交換ファシリテータを使用するときにとるステップに対応する。システム４００内の動作の流れは、ユーザが望ましい物品／サービスのサーチをオンラインで行うときに対応する時点に概して生じる開始動作４０２においてインスタンシエートされる。
【００３９】
動作の流れは、交換ファシリテータへのリンクの選択に対応する選択モジュール４０４へ進む。選択モジュール４０４は、ウェブ・ページ内に製品またはサービスのための広告と並んで配置された埋め込みハイパーリンクの購入ユーザの選択に対応することができる。リンクは、リンクを選択している見込みのある購入者が交渉またはそのほかのビジネスの処理を行うエンティティを決定することが必要なくなるように、交換ファシリテータのアイデンティティおよび販売ユーザのアイデンティティの両方に関係する情報を含む。またこのリンクは、物品／サービスのための販売ユーザの請求価格に関係する情報をウェブ・ページまたは販売ユーザから獲得する。
【００４０】
動作の流れは、購入者情報モジュール４０６へ進む。購入者情報モジュール４０６は、交換ファシリテータの特定の要求に従って購入ユーザによって行われるウェブ・ページ内への情報の記入に対応する。多様な実施態様においては、購入者情報モジュール４０６が、前述の図２の購入情報モジュール２１０の実行に応答して購入ユーザによって行われる情報の記入に対応する。購入ユーザが情報を記入するフォームの一例を図８に示す。
【００４１】
動作の流れは、メッセージ受信モジュール４０８へ進む。メッセージ受信モジュール４０８は、図９に示されたメッセージ等のメッセージを、購入ユーザが受信することに対応する。このメッセージは、概して、インストラクションおよびリンクを含み、インストラクションは、購入ユーザに、その先の処理および代価交換取引の最終処理が生じ得る交換ファシリテータのウェブ・サイトへユーザを導くリンクの選択を告げる。動作の流れは、リンク選択モジュール４１０へ進む。リンク選択モジュール４１０は、受信されたメッセージに埋め込まれたリンクを購入ユーザが選択することに対応する。
【００４２】
動作の流れは、オプションの追加の購入者情報モジュール４１２へ進む。追加の購入者情報モジュール４１２は、図２のモジュール２１６の動作に応答するといった、交換ファシリテータに対して購入ユーザが追加の情報を提供することに対応する。購入ユーザがまだ加入者でない場合には、この過程を通じて購入ユーザが交換ファシリテータによって提供されるサービスの加入者になる。
【００４３】
動作の流れは、価格、数量等々の代価交換取引の１つまたは複数の条件の交渉を購入ユーザが選択することに対応する交渉モジュール４１４へ進む。交渉モジュール４１４は、図２の交渉モジュール２１８を伴うユーザ・インタラクションに対応する。特定の実施態様においては、交渉モジュール４１４を、図３の取引モジュール３０８において参照された販売ユーザの交渉に対する購入ユーザの応答とすることができる。さらに別の実施態様においては、交渉モジュール４１４が、提案されている代価交換取引の１つまたは複数の条件の変更の選択によるといった、販売ユーザとの交渉過程を購入ユーザが開始することに対応する。
【００４４】
動作の流れは、購入ユーザの分担に関する代価交換取引の現在の条件との合意に対応する承認モジュール４１６へ進む。購入ユーザが代価交換取引の条件の承認を示すことが可能なユーザ・インターフェースを図１１に示す。
【００４５】
動作の流れは、購入ユーザから販売ユーザへの、これらのユーザ（この時点では交換ファシリテータのサービスの双方の加入者）のために設定された口座を通じた財務の転送に対応する代価転送動作４１８へ進む。動作の流れは、取引の完了に対応する終了動作４２０において終了する。取引の完了を表明するユーザ・インターフェースを図１２に示す。
【００４６】
図５を参照すると、この開示の実施態様を実装するための例示的な環境は、少なくとも１つの処理システム(処理ユニット)５０２を含むコンピューティング・システム５００の形式で汎用コンピューティング・デバイスを含む。ここに述べられる多様な実施態様においては、汎用コンピューティング・デバイスが、電子デバイス、財務サーバ、またはサードパーティのサービス・プロバイダ等の図１の多様なコンピューティング・デバイスに対応できる。多様な処理ユニット５０２が、多様な製造者、たとえばインテル（Ｉｎｔｅｌ）またはアドバンスド・マイクロ・デバイセズ（Ａｄｖａｎｃｅｄ  Ｍｉｃｒｏ  Ｄｅｖｉｃｅｓ）から入手できる。コンピューティング・システム５００は、システム・メモリ５０４、およびシステム・メモリ５０４を含む多様なシステム構成要素を処理ユニット５０２へ結合するシステム・バス５０６も含む。システム・バス５０６は、メモリ・バス、またはメモリ・コントローラ、ペリフェラル・バス、および多様なバス構造のいずれかを使用するローカル・バスを含むいくつかのタイプのバス構造のうちのいずれとしてもよい。
【００４７】
好ましくは、システム・メモリ５０４が、読み出し専用メモリ（ＲＯＭ）５０８およびランダム・アクセス・メモリ（ＲＡＭ）５１０を含む。起動の間等にコンピューティング・システム５００内の要素の間の情報の転送を補助する基本ルーチンを含むベーシック・インプット／アウトプット・システム５１２（ＢＩＯＳ）は、通常、ＲＯＭ  ５０８内にストアされている。
【００４８】
好ましくは、コンピューティング・システム５００がさらに、ハードディスク（図示せず）に対する読出しおよび書込みのためのハードディスク・ドライブおよび／またはコンパクト・フラッシュ・カード５１４等の二次ストレージ・デバイス(ハードディスク・ドライブ)５１３を含む。
【００４９】
ハードディスク・ドライブ５１３およびコンパクト・フラッシュ・カード５１４は、それぞれハードディスク・ドライブ・インターフェース５２０およびコンパクト・フラッシュ・カード・インターフェース５２２によってシステム・バス５０６に接続される。これらのドライブおよびカードおよびそれらの関連するコンピュータ可読媒体は、コンピュータ可読インストラクション、データ構造、プログラム・モジュール、およびコンピューティング・システム５００のためのそのほかのデータの不揮発性ストレージを提供する。
【００５０】
ここに述べられる例示的な環境は、ハードディスク・ドライブ５１３およびコンパクト・フラッシュ・カード５１４を採用しているが、当業者は、データをストアする能力のあるそのほかのタイプのコンピュータ可読媒体が例示的なシステムの中で使用可能であることを認識する必要がある。そのほかのタイプのコンピュータ可読媒体の例は、磁気カセット、フラッシュ・メモリ・カード、デジタル・ビデオ・ディスク、ベルヌーイ・カートリッジ、ＣＤ‐ＲＯＭＳ、ＤＶＤ‐ＲＯＭＳ、ランダム・アクセス・メモリ（ＲＡＭ）読み出し専用メモリ（ＲＯＭ）、およびこれらの類を含む。
【００５１】
オペレーティング・システム５２６、１つまたは複数のアプリケーション・プログラム５２８、そのほかのプログラム・モジュール５３０、およびプログラム・データ５３２を含む多数のプログラム・モジュールをハードディスク・ドライブ５１３、コンパクト・フラッシュ・カード５１４、ＲＯＭ  ５０８、またはＲＡＭ  ５１０上にストアすることができる。ユーザは、入力デバイス５３４を通じてコンピューティング・システム５００内にコマンドおよび情報を入力できる。入力デバイスの例には、キーボード、マウス、マイクロフォン、ジョイスティック、ゲーム・パッド、衛星アンテナ、スキャナ、デジタル・カメラ、タッチ・スクリーン、および電話を含めることができる。これらの、およびそのほかの入力デバイスが、しばしば、システム・バス５０６に結合されたインターフェース５４０を通じて処理ユニット５０２へ接続される。これらの入力デバイスは、パラレル・ポート、シリアル・ポート、ゲーム・ポート、またはユニバーサル・シリアル・バス（ＵＳＢ）等の任意の数のインターフェースによっても接続できる。モニタまたはタッチ・スクリーンＬＣＤパネル等の表示デバイス５４２もまた、ビデオ・アダプタ５４４等のインターフェースを介してシステム・バス５０６に接続される。表示デバイス５４２は、内蔵または外付けとすることができる。表示デバイス５４２に加えて、コンピューティング・システムは、概して言えば、スピーカ、プリンタ、およびパーム・デバイスといったそのほかの周辺デバイス（図示せず）を一般に含む。
【００５２】
ＬＡＮネットワーク環境において使用される場合には、コンピューティング・システム５００が、ネットワーク・インターフェースまたはアダプタ５５２を通じてローカル・ネットワークに接続される。インターネット等のＷＡＮネットワーク環境において使用される場合には、コンピューティング・システム５００が、通常、モデム５５４またはそのほかのワイド・エリア・ネットワークにわたって通信を確立するための直接接続等の手段を含む。モデム５５４は、内蔵または外付けとすることが可能であり、インターフェース５４０を介してシステム・バス５０６に接続される。ネットワーク環境においては、コンピューティング・システム５００に関して図示されているプログラム・モジュールまたはそれらの部分を、リモート・メモリ・ストレージ・デバイス内にストアすることができる。認識されるであろうが、ここに示されたネットワーク接続は例示的なものであり、コンピューティング・システムの間に通信リンクを確立するそのほかの手段を使用してもよい。
【００５３】
コンピューティング・システム５００は、メモリ５０４に接続されるレコーダ５６０も含むことができる。レコーダ５６０は、音声入力を受信するためのマイクロフォンを含み、音声入力をバッファし、ストアするためにメモリ５０４と通信する。好ましくはレコーダ５６０が、マイクロフォンを付勢し、音声入力をメモリ５０４に伝えるための記録ボタン５６１も含む。
【００５４】
コンピューティング・システム５００等のコンピューティング・デバイスは、通常、少なくとも何らかの形式のコンピュータ可読媒体を含む。コンピュータ可読媒体は、コンピューティング・システム５００によるアクセスが可能な任意の利用可能な媒体とすることができる。限定ではなく例として述べれば、コンピュータ可読媒体は、コンピュータ・ストレージ媒体および通信媒体を包含できる。
【００５５】
コンピュータ・ストレージ媒体は、コンピュータ可読インストラクション、データ構造、プログラム・モジュール、またはそのほかのデータといった情報をストアするための任意の方法またはテクノロジで実装される揮発性および不揮発性、取り外し可能なおよび固定の媒体を含む。コンピュータ・ストレージ媒体は、限定でないが、ＲＡＭ、ＲＯＭ、ＥＥＰＲＯＭ、フラッシュ・メモリまたはそのほかのメモリ・テクノロジ、ＣＤ‐ＲＯＭ、デジタル多用途ディスク（ＤＶＤ）またはそのほかの光学ストレージ、磁気カセット、磁気テープ、磁気ディスク・ストレージまたはそのほかの磁気ストレージ・デバイス、または望ましい情報のストアに使用可能であり、かつコンピューティング・システム５００によるアクセスが可能なそのほかの任意の媒体を含む。
【００５６】
通信媒体は、通常、搬送波またはそのほかのトランスポート・メカニズム等の変調データ信号内にコンピュータ可読インストラクション、データ構造、プログラム・モジュールまたはそのほかのデータを組み入れ、任意の情報引渡し媒体を含む。用語『変調データ信号』は、信号の特性のうちの１つまたは複数が、その信号内に情報エンコードするといった態様で設定または変更された信号を意味する。例として述べると、限定でないが、通信媒体は、有線ネットワークまたは直接有線接続等の有線媒体、および音響、ＲＦ、赤外線、およびそのほかの無線媒体等の無線媒体を含む。上記の任意の組み合わせもまた、コンピュータ可読媒体の範囲内に含まれるものとする。コンピュータ可読媒体は、コンピュータ・プログラム製品とも呼ばれる。
【００５７】
図６は、この開示の特定の実施態様に従ってオンライン代価交換取引を容易にするためのシステムの略図的なブロック図である。システム６００は、概して図１のネットワーク１００内において動作し、物品およびサービスの購入および販売ユーザをはじめ、財務サービス会社等の代価交換ファシリテータ、および掲示板モデレータおよびオンライン・オークション・サイト等のそのほかのオンライン・サービス・プロバイダを含む多様なユーザの間のインタラクションが図解されている。システム６００は、概して販売ユーザが、提案している物品またはサービスの販売とともに、当該販売ユーザが既存の関係を有する代価交換ファシリテータにユーザを向け直すことが可能なリンクを提供することを可能にする。
【００５８】
システム６００は、多様な顧客カスタム・ページ６０２を含み、そのうちの特定のいくつかはコード挿入６０４を含む。各顧客カスタム・ページ６０２は、１つまたは複数の製品またはサービスの出品に対応し、広告、オークション、またはそのほかのタイプの一般化された販売のための出品の形式とすることが可能である。コード挿入６０４は、特定の顧客カスタム・ページに対応し、特定の製品またはサービスを買い手と売り手の間における直接代価転送による支払の方法と接続する。コード挿入６０４は、選択された顧客カスタム・ページ６０２内にリンクを表示させることが可能であり、かつ画像または文の中に埋め込むことができる。挿入６０４のためのコードは、図に示されているとおりＨＴＭＬとすることができるが、ジャバ（Ｊａｖａ(登録商標)）、エイジャックス（ＡＪＡＸ）、またはそのほかの言語の使用は可能である。ＨＴＭＬの場合においては、画像を使用するその種のリンクを可能にする一例のコード・スニペットを次のようにすることができる。
【００５９】
＜！ＤＯＣＴＹＰＥ  ｈｔｍｌ  ＰＵＢＬＩＣ  ”‐／／Ｗ３Ｃ／／ＤＴＤ  ＸＨＴＭＬ  １．０  Ｔｒａｎｓｉｔｉｏｎａｌ／／ＥＮ”
”ｈｔｔｐ：／／ｗｗｗ．ｗ３．ｏｒｇ／ＴＲ／ｘｈｔｍｌ１／ＤＴＤ／ｘｈｔｍｌ１‐ｔｒａｎｓｉｔｉｏｎａｌ．ｄｔｄ”＞
＜ｈｔｍｌ  ｘｍｌｎｓ＝”ｈｔｔｐ：／／ｗｗｗ．ｗ３．ｏｒｇ／１９９９／ｘｈｔｍｌ”  ＞
＜ｈｅａｄ＞
＜ｔｉｔｌｅ＞Ｒ＜／ｔｉｔｌｅ＞
＜／ｈｅａｄ＞
＜ｂｏｄｙ＞
＜ａ  ｈｒｅｆ＝”ＳｅｎｄＧｅｔＲｅｑｕｅｓｔ．ａｓｐｘ？ｕｓｅｒｎａｍｅ＝ＧｏｌｆｃｌｕｂＳｈａｃｋ＆ｕｉｄ＝ｅｒｏｈｎｅｒ”  ｔａｒｇｅｔ＝’＿ｓｅｌｆ＞＜ｉｍｇ
ｓｒｃ＝”ｈｔｔｐ：／／ｄｅｖｆｂ．ｒｅｖｏｌｕｔｉｏｎｍｏｎｅｙ．ｃｏｍ／Ｐ２ＰＰｌｅｄｇｅ／ｉｍａｇｅｓ／ｉｃｏｎ＿ｂｉｇ２．ｊｐｇ”  ａｌｔ＝””／＞＜／ａ＞
＜／ｂｏｄｙ＞
＜／ｈｔｍｌ＞
【００６０】
上記のコードからわかるとおり、画像へのリンクが作成され、その画像が、そのウェブ・ページを眺めているユーザに対するハイパーリンクそのものとなる。このタイプのコードを使用して作成されたウィジェットの外観の例を後述の図７に示す。当然のことながら、この開示の原理と矛盾しないそのほかのコードも同様に使用可能である。
【００６１】
選択動作６０６は、コード挿入６０４によって提供されるボタンまたはリンク上での購入ユーザのクリックに対応する。選択動作６０６に続いて実行される宛先変更動作６０８は、購入ユーザを顧客カスタム・ページ６０２から離してカスタム化された顧客スクリーン６１０へ向け直すことに対応する。カスタム化された顧客スクリーン６１０は、顧客カスタム・ページ６０２上に表示される物品またはサービスの合意済みの価格、およびユーザからの連絡先情報を含む情報を購入ユーザから取込む取込みモジュール６１２を含むユーザ・インターフェースを提供する。
【００６２】
リモート金銭交換ウェブ・サイト６１４は、顧客カスタム・ページ６０２内に表示される物品またはサービスのための代価交換取引を遂行する機能的を提供する。リモート金銭交換ウェブ・サイト６１４は、要求動作６１６、承諾動作６１８、および財務転送動作６２０を含む。要求動作６１６は、購入ユーザに対する財務の要求を開始する。要求動作６１６は、取込みモジュール６１２を介して購入ユーザから収集された情報を使用し、その情報を販売ユーザからの財務についての未決の要求の中に入力し、購入ユーザはその要求を承諾しなければならない。図１０には、多くの未決の要求が示されている。承諾動作６１８は、未決の要求の条件が合意されること（またはそれに代えて、以前に説明したとおり、その条件が承諾可能でないこと、および代価交換の条件のうちの１つまたは複数の交渉を購入ユーザが選択すること）をユーザが確認できる追加のウェブ・ページを提供する。代価交換が双方によって承諾可能であると見なされると、財務転送動作６２０が購入ユーザから販売ユーザ（すなわちサービスの既存の加入者）へ財務を転送する。
【００６３】
ここで図７〜１２を参照すると、多様なユーザ・インターフェースが示されており、そこには、この開示の可能な実施態様に従った購入および販売ユーザの機能およびデータ要求の例をはじめ、代価交換ファシリテータの機能が図解されている。
【００６４】
図７は、サードパーティのサービス・プロバイダに貼られ、交換ファシリテータへのリンクを含むオンライン代価交換取引のための一例のユーザ・インターフェース７００を示す。ユーザ・インターフェース７００は、概して（マイクロソフト（Ｍｉｃｒｏｓｏｆｔ）のインターネット・エクスプローラ（Ｉｎｔｅｒｎｅｔ  Ｅｘｐｌｏｒｅｒ）、モジラ（Ｍｏｚｉｌｌａ）ファイヤーフォックス（Ｆｉｒｅｆｏｘ）、オペラ（Ｏｐｅｒａ）、またはそのほかのブラウザを含む多くの代表的なブラウザのうちのいずれかの）ブラウザ・ウインドウ内に提示されるウェブ・ページに対応し、サードパーティのサービス・プロバイダによって生成され、そのサードパーティのサービス・プロバイダのユーザが購入または販売する物品およびサービスを申し出るメッセージを貼ることができる。示されている実施態様においては、ユーザ・インターフェース７００が、出品された各品物またはサービスのためのカスタム顧客ウェブ・ページを作成し、関係する物品およびサービスに関係のあるカスタム・メッセージを販売ユーザが貼ることを可能にする。ユーザ・インターフェース７００は、画像として示されているリンク７０２を含み、それが、そのウェブ・ページ内に述べられるところの取引完了するために、サードパーティのサービス・プロバイダから代価交換ファシリテータへの宛先変更を提供する。
【００６５】
図８は、交換ファシリテータによる使用のためのユーザ情報を入力するための一例のユーザ・インターフェース８００を示す。ユーザ・インターフェース８００は、代表的なブラウザ・ウインドウ内に見られるものが図解されており、たとえば、図７のユーザ・インターフェース７００内のリンク７０２の選択によって到達できる。ユーザ・インターフェース８００は、そのインターフェースの画面に、代価交換の取引を行っている相手（たとえば販売ユーザ）のアイデンティティを示すメッセージ８０２を含む。示されている実施態様においては、エンティティ『ＧｏｌｆＣｌｕｂＳｈａｃｋ（ゴルフクラブシャック）』が支払を求めているエンティティであることがわかる。ユーザ・インターフェース８００は、電子メール・アドレス・フィールド８０４、金額フィールド８０６、およびメッセージ・フィールド８０８を含む多様な情報要求フィールドを含む。購入ユーザは、これらのフィールドの各々の中に適切な情報を（たとえば、電子メール・アドレス・フィールド８０４内に有効な電子メール・アドレスを、金額フィールド８０６内に品物／サービスに要求されている金額を、メッセージ・フィールド８０８内にオプションのメッセージを）書き込む。送信ボタン８１０は、購入ユーザが、フィールド８０４、８０６、８０８内の情報が完成したことを示し、かつ交換ファシリテータによる処理のためにその情報を提出することを可能にする。
【００６６】
図９は、ユーザへ送信され、代価交換要求（たとえば支払要求）をユーザが確認し、承諾することを可能にする一例のメッセージを図解したユーザ・インターフェース９００を示している。ユーザ・インターフェース９００は、メッセージを見ることが可能な代表的な電子メール・クライアントアプリケーションを表す。ユーザ・インターフェース９００は、メッセージ９０２を含み、それが未決の代価交換要求（財務転送）に関するメッセージの受信者に詳細およびインストラクションを提供する。メッセージ９０２は、概して品物またはサービスの購入ユーザに向けられ、販売ユーザのアイデンティティを含み、かつ以前に交換ファシリテータに提供された価格（前述の図８に一例が示されている別のユーザ・インターフェースを通じてユーザによって提供されたもの等）を表示する。メッセージは、受信者（購入ユーザ）によって選択されて代価交換処理を遂行するリンク９０４も含む。購入ユーザへ電子メール・メッセージを送信することによって、交換ファシリテータは、購入側当事者のアイデンティティを確証できる。
【００６７】
図１０は、交換ファシリテータによって管理される一例のユーザ・インターフェース１０００を示し、交換ファシリテータのサービスの多様なユーザの未決および交渉済み取引を図解している。ユーザ・インターフェース１０００は、概して購入ユーザおよび販売ユーザ両方に対して提示され、それらのユーザが交換ファシリテータを使用して多様な口座取引を管理することを可能にする。ユーザ・インターフェース１０００は、概してブラウザ・ウインドウ内に提示され、代価交換ファシリテータによって管理されるサーバ（たとえば、図１の財務サーバ１１０）から引渡すことができる。
【００６８】
示されている実施態様においてはユーザ・インターフェース１０００が、あらかじめ決定済みの時間枠内に生じる未決の取引および完了した取引を示す。ユーザ・インターフェースは、ユーザが現在の期間（示されたとおり週、ただし日、月、または年も可能である）を選択するか、または有効なすべての取引を選択することを可能にするタブ１００１ａ〜ｂを含む。
【００６９】
ユーザ・インターフェース１０００は、ユーザによって実行される取引の多様なタイプのリストを図解し、それには財務受領リスト１００２、未決要求リスト１００４、および未決取引リスト１００６が含まれる。財務受領リスト１００２は、ユーザが販売ユーザであった取引からそのユーザによって受領された財務に対応する。未決要求リスト１００４内の未決要求は、ユーザが購入ユーザであり、他方の加入者（すなわち販売ユーザ）が支払を要求している取引に対応する。未決取引リスト１００６内の未決取引は、ユーザが支払を要求している販売ユーザである場合におけるような、まだ承認済みとなっていない財務についての要求に対応する。示されている実施態様においては、示されている時間期間内において現在のユーザに関する未決要求だけが発生しており、示されている例においては交換ファシリテータのサービスにログインしているユーザが購入ユーザであることが推論できる。
【００７０】
未決要求リスト１００４内の各未決要求は、（購入）ユーザによる承諾、拒否、または交渉が可能である。各未決要求は、代価交換要求（すなわち、示されている実施態様においては財務要求）に関する列形フォーマット内に、要求側当事者１００８の名前、要求金額１０１０、および時間情報１０１２を含む多様な詳細を含む。各要求に関連付けされた命令ボタンは、承諾ボタン１０１４、キャンセル・ボタン１０１６、および交渉ボタン１０１８（『ｓｕｇｇｅｓｔ  ｎｅｗ（新たに提案）』としてラベル付けされている）を含む。
【００７１】
承諾ボタン１０１４は、交換ファシリテータが代価交換（たとえば財務転送）を処理することを可能にするフィールド１００８〜１０１２内に提示された詳細に基づいて購入ユーザが取引を承諾すること、および未決要求リスト１００４から未決要求を取除くことを可能にする。キャンセル・ボタン１０１６は、取引をキャンセルし、未決要求のリスト１００４から取引を削除する。交渉ボタン１０１８は、１つまたは複数の条件を修正し、要求側当事者フィールド１００８内に示されているところの要求側当事者（販売ユーザ）に対して提案できる追加のユーザ・インターフェース（図示せず）へ購入ユーザを導く。
【００７２】
特定の実施態様においては、ユーザ・インターフェース１０００が財務転送のための未決要求を有する購入ユーザに対して表示されるが、そのユーザは、交換ファシリテータのサービスの登録済み加入者であってもよく、そうでなくてもよい。図９のリンク９０４等のリンクが加入していない購入ユーザによって追随される場合においては、その購入ユーザの情報の収集および登録／加入のために、ユーザ・インターフェース１０００の表示に先行してそのユーザを異なるユーザ・インターフェース（図示せず）へ回す必要が生じることがある。
【００７３】
図１１は、代価交換取引の１つまたは複数の条件に従って取引の処理を購入ユーザが確認することを可能にする一例のユーザ・インターフェース１１００を示す。この開示の特定の実施態様においては、ユーザ・インターフェース１１００を、前述した所定の取引に関して図１０の承諾ボタン１０１４を選択したときに表示されるインターフェースとすることができる。ユーザ・インターフェース１１００は、名前、電子メール・アドレス、件名、メッセージ、および取引においては転送される金銭の額をリストする詳細フィールド１１０２内における代価交換の条件の最終の再検討を購入ユーザに提供する。戻るボタン１１０４は、購入ユーザが、この段階において取引をキャンセルすることを可能にし、そのユーザを、そのユーザのすべての未決または最近の取引の状態を表示するユーザ・インターフェース１０００等のユーザ・インターフェースまで戻す。続けるボタン１１０６は、購入ユーザが、取引の条件（当事者、価格等）への合意を確認し、交換ファシリテータをトリガして取引を進めさせることを可能にする。
【００７４】
図１２は、取引の処理を確認する一例のユーザ・インターフェース１２００を表示している。ユーザ・インターフェース１２００は、購入ユーザに対する、代価交換取引が首尾よく行われたことを示すメッセージを呈示する。ユーザ・インターフェース１２００は、オプションとして取引識別子、交換ファシリテータに関連する口座の新しい残高の表示、またはそのほかの情報等のユーザに対する情報の追認を呈示できる。ユーザ・インターフェース１２００を、たとえば図１の財務サーバ１１０からシステム１０２〜１０６等のコンピューティング・システムへ提供することによってそれをシステムのユーザに提示することができる。
【００７５】
図７〜１２のユーザ・インターフェースは、主として購入ユーザに対する表示に関して述べられているが、類似のユーザ・インターフェースを提供して購入ユーザと販売ユーザの間の多方向交渉を可能にすることができる。表示されている特定のインターフェースは、交換ファシリテータによって提供され、システム内に含めることができる機能的に可能な例を単に提供するに過ぎない。
【００７６】
以上の明細書、例およびデータは、本発明の構成の製造および使用の完全な説明を提供する。本発明の多くの実施態様が本発明の精神および範囲から逸脱することなく可能であることから、本発明は、添付の特許請求の範囲内に存する。
【符号の説明】
【００７７】
１００  ネットワーク
１０２，１０４，１０６  デバイス
１０８  データ・ネットワーク
１１０  財務サーバ
１１２  サービス・プロバイダ
２００，６００  システム
５００  コンピューティング・システム
５０２  処理ユニット
５０４  システム・メモリ
５０６  システム・バス
５０８  読み出し専用メモリ（ＲＯＭ）
５１０  ランダム・アクセス・メモリ（ＲＡＭ）
５１２  ベーシック・インプット／アウトプット・システム
５１３  ハードディスク・ドライブ
５１４  コンパクト・フラッシュ・カード
５２０  ハードディスク・ドライブ・インターフェース
５２２  コンパクト・フラッシュ・カード・インターフェース
５２６  オペレーティング・システム
５２８  アプリケーション・プログラム
５３０  プログラム・モジュール
５３２  プログラム・データ
５３４  入力デバイス
５４０  インターフェース
５４２  表示デバイス
５４４  ビデオ・アダプタ
５５２  ネットワーク・インターフェースまたはアダプタ
５５４  モデム
５６０  レコーダ
５６１  記録ボタン
６０２  カスタム・ページ
６０４  コード挿入
６１２  取込みモジュール
６１４  金銭交換ウェブ・サイト
７００，８００，９００，１０００，１１００，１２００  ユーザ・インターフェース
８０４  電子メール・アドレス・フィールド
８０６  金額フィールド
８０８  メッセージ・フィールド
９０２  メッセージ
９０４  リンク
１０１４  承諾ボタン
１１０４  戻るボタン
１１０６  続けるボタン
【図１】
2011511372.tif 000003
【図２】
2011511372.tif 000004
【図３】
2011511372.tif 000005
【図４】
2011511372.tif 000006
【図５】
2011511372.tif 000007
【図６】
2011511372.tif 000008
【図７】
2011511372.tif 000009
【図８】
2011511372.tif 000010
【図９】
2011511372.tif 000011
【図１０】
2011511372.tif 000012
【図１１】
2011511372.tif 000013
【図１２】
2011511372.tif 000014
【国際調査報告】
2011511372.tif 000015